(57)【要約】本発明は、ドアの取手のような機構を作動させるために用いられる衛生的な回転制御部材に関する。より具体的には、本発明は、ドアに取り付けられることを目的とし、ロックのような機構の作動を制御するために用いられる衛生的な回転ハンドル（１２）に関する。本発明は、ハブ（１８）と、本体（２０）と、ドアの面から延びているほぼＣ字形状の内側にくぼんだ面を有している左手の形態の作動部分（２６）とからなるタイプである。本発明は、ハンドル（１２）の静止位置で、作動部分（２６）の凹面がほぼ上向きであり、使用者の腕の部分、手首、又は手の甲を受容することができることを特徴とする。
2008506872.tif 000002
【特許請求の範囲】
【請求項１】
衛生的な回転ハンドル（１２）であって、ラッチのような機構の作動を制御するためにドアの開き部材（１０）に取り付けることができ、前記ハンドルが弾性的に戻される静止位置から前記開き部材（１０）に取り付けられ、この開き部材が垂直軸（Ａ）を中心として回動されることを可能とし、
前記ハンドル（１２）は、
前記開き部材（１０）の面に垂直な軸（Ｈ）を中心として回転するように取り付けることができ、この開き部材（１０）の垂直な自由端（１６）に近い、末端のハブ（１８）と、
第１の端部（２２）がこのハブ（１８）に接続され、このハブ（１８）から前記開き部材（１０）の面にほぼ平行な平面で、この開き部材（１０）の垂直端（１６）から離れて延びている本体（２０）と、
湾曲した形状で、この本体（２０）の第２の端部（２４）に接続され、ほぼＣ字形状でこの第２の端部（２２）から前記開き部材（１０）の面から離れて延びている内側の凹面（３６）を有し、この凹面は、ほぼこの開き部材（１０）の自由端（１６）の方向に向けられている、作動部分（２６）と、
を具備するタイプであるハンドル（１２）において、
このハンドル（１２）の静止位置では、前記作動部分（２６）の凹面（３６）は、ほぼ上向きであり、使用者の腕の一部、手首、又は手の甲を受容することができることを特徴とするハンドル（１２）。
【請求項２】
前記作動部分（２６）は、前記ハブ（１８）の回転軸（Ｈ）にほぼ平行な平面で延び、前記静止位置では、３０度と６０度との間にあり、ほぼ５０度に等しいことが好ましい鋭角Ａ１を水平に対して形成していることを特徴する請求項１に記載のハンドル（１２）。
【請求項３】
前記作動部分（２６）の凹面（３６）の底部と、回転軸（Ｈ）との間の距離Ｄ１は、ほぼ２００ｍｍであることを特徴とする請求項１又は２に記載のハンドル（１２）。
【請求項４】
前記作動部分（２６）の凹面（３６）の底部と、回転軸（Ｈ）を通る水平線との間の距離Ｄ２は、ほぼ１１５ｍｍであることを特徴とする前記全ての請求項のいずれか１に記載のハンドル（１２）。
【請求項５】
前記本体（２０）は、凹面がほぼ下向きで、頂点（２８）が前記作動部分（２６）の上方に位置している「雁首型」の形状であることを特徴とする前記全ての請求項のいずれか１に記載のハンドル（１２）。
【請求項６】
前記本体（２０）の第２の端部（２４）と、開き部材（１０）との間の距離Ｄ３は、この本体の第１の端部（２２）と、この開き部材（１０）との間の距離Ｄ４より小さいことを特徴とする前記全ての請求項のいずれか１に記載のハンドル（１２）。
【請求項７】
前記作動部分（２６）は、２つの突出部（３８、３９）で終端しているくぼんだ作動面（３６）を規定するように、自由端（３４）まで次第に広がっており、前記開き部材（１０）を引き又は押すための、前記ハンドル（１２）の並進動作をより容易にすることを特徴とする前記全ての請求項のいずれか１に記載のハンドル（１２）。
【請求項８】
前記作動部分（２６）の断面の輪郭は、丸められていることを特徴とする前記全ての請求項のいずれか１に記載のハンドル（１２）。
【請求項９】
前記本体（２０）は、ほぼ円形又は楕円の断面であることを特徴とする前記全ての請求項のいずれか１に記載のハンドル（１２）。
【請求項１０】
一体成形で形成されていることを特徴とする前記全ての請求項のいずれか１に記載のハンドル（１２）。
【請求項１１】
衛生的な回転制御部材（５０）であって、ドアにラッチを掛けるための機構の作動を制御するための、ドアの開き部材に取り付けることができる制御部材（５０）において、
この制御部材は、
前記開き部材（１０）の垂直な自由端（１６）に近く配置することができ、前記ドアのラッチが解除される第１の端の角度位置と、このドアのラッチが掛けられる第２の端の角度位置とをとるように、前記開き部材（１０）の面に垂直な軸（Ｈ’）を中心として回転するように取り付けることができる末端のハブ（５２）と、
第１の端部が前記ハブ（５２）に接続され、まず前記開き部材（１０）の面に平行な平面で延び、それからこの開き部材（１０）の面に垂直な平面をこの開き部材から離れて延びるように湾曲部（５５）を有している主ブランチ（５４）と、
この主ブランチ（５４）の第２の端部に接続され、前記開き部材（１０）に垂直な平面でこの開き部材（１０）から離れて前記制御部材（５０）の中央平面から対称的に分かれ、間で、開いたほぼＣ字形状のバスケットハンドル形状の湾曲部（５８）を規定している２つの２次的な端部ブランチと、
を具備することを特徴とする制御部材（５０）。
【請求項１２】
２つの前記端の角度位置は、互いに角度がほぼ９０度ずれていることを特徴とする請求項１１に記載の制御部材（５０）。
【請求項１３】
２つの端の角度位置の一方では、ほぼ垂直な平面で延びることを特徴とする請求項１１又は１２に記載の制御部材（５０）。
【請求項１４】
２つの端の角度位置の一方に、弾性的に戻されることを特徴とする請求項１１乃至１３のいずれか１に記載の制御部材。
【請求項１５】
蛇口（７０）の流れと水温とを制御するために、湯水混合水栓の蛇口（７０）に取り付けることができ、この蛇口の本体の上面に位置している点（６２）をほぼ中心として関節接続して取りつけることができる制御部材（６０）において、
この制御部材は、
第１の末端部が、前記蛇口の本体（６９）に関節接続して取り付けられ、中央の静止位置で、この蛇口（７０）の本体の垂直な中央平面にほぼ対応している垂直な面で上方に延びている主胴部（６４）と、
この主胴部（６４）の第２の端部から対称に分かれ、前記蛇口（７０）の後方に向かって傾斜した平面で延び、前記制御部材の操作のために腕、上腕、又は手首と相互作用することができる、開いたほぼＣ字形状のバスケットハンドル形状の湾曲部（６８）を間で規定している２つの２次的な胴部（６６）と、
を具備することを特徴とする制御部材（６０）。
【請求項１６】
前記バスケットハンドル形状の湾曲部は、ほぼ後方上方に開いていることを特徴とする請求項１５に記載の制御部材。
【発明の詳細な説明】
【技術分野】
【０００１】
本発明は、通常、使用者の指又は手のひらにより作動される、普通回転ノブと称される作動部材に関する。
【０００２】
本発明は、医療分野、特に病院での環境、農企業分野、又はそうでなければ家庭もしくは自動車におけるような衛生分野で用いられるようにデザインされている取手に特に関する。
【背景技術】
【０００３】
公共建築物、特に病院では、衛生問題は、重要性を増している問題である。現在、フランスにおいて、５％乃至１２％の入院している人々が院内感染病の契約をしている（厚生省、２００３）。これは、衛生が公衆衛生の関心の最前線である理由である。
【０００４】
手は、細菌や病原バクテリアを感染させる最大の手段となっている。手による感染する汚染により、感染を止めることを可能とする解決法を用いることが必要とされている。特に、非化学的で、病院や他の公共建築物に容易に利用できる解決法が必要とされ、特に、様々な装備品に普通設置されて、これら装備品を使用し、操作する目的に関連する装備に加えて装備を使用しない解決法が必要とされている。
【０００５】
特に、手により、とりわけ最も汚染された領域である指により、通常扱われる機構を制御するためのハンドル又は他の同様の部材のデザインを変更することが必要である。
【０００６】
特に、従来の回転ハンドルは、とりわけ使用者がラッチのような機構をまず作動させて、それから、ドアの開き部材すなわちリーフをちょうつがいにより形成された垂直軸を中心として回転させて開く場合に、手を使わずに作動させることはほとんど不可能である。
【０００７】
複数の解決法の１つは、手を用いずに、とりわけ、「手が起源の」バクテリア及びウィルスが感染することを物理的に断つために、腕、上腕、又は手首を用いて、作動させることができるドアのハンドルをデザインすることに関連する。
【０００８】
衛生的なハンドルと称するこのようなハンドルは、既知の方法で、  
開き部材の平面に垂直な軸を中心として回転するように取り付けられることができ、この開き部材の垂直な自由端に近い末端のハブと、  
第１の端部がこのハブに接続され、このハブから開き部材の平面にほぼ平行な平面で、この開き部材の垂直な端から離れて延びている本体と、  
一般的に曲がった形状で、この本体の第２の端部に接続され、Ｃ字形状で、この第２の端部から開き部材の平面から離れて延び、凹面がこの開き部材の自由端の方向にほぼ向けられている、近接した作動部分と、を有している。
【０００９】
このようなハンドルは、文書ＵＳ−Ａ−２．２３８．５１３で説明され、示されている。この文書は、使用者の前腕又は腕を受容することができる「フック」すなわちバスケットハンドルの曲線の形状で作動することが自由端部分により可能な「衛生的な」ハンドルを示している。
【００１０】
このフックすなわちバスケットハンドルの曲線は、ドアの開き部材の底部に向けられて開いている、すなわち、地面に向けられて開いている。この結果、使用者は、ハンドルを回転するために腰を低くしなければならず、このように、従来のハンドルの使用に比較して背中でさらに苦労しなければならない。
【００１１】
このようなハンドルの人間工学は、満足のいくものではない。このハンドルを日常的に繰り返し使用すると、特に、職業的な環境で、使用者の受け入れがたい疲労と苦痛とを生じ、このハンドルを不適当に使用させる、すなわち、従来のように手で握らせ、この結果、このハンドルの「衛生的な」特徴を終わらせてしまう。
【００１２】
この不都合な点により、６０年以上もさかのぼるデザインであるにもかかわらず、文書ＵＳ−Ａ−２．２３８．５１３で提案されているハンドルが、特に病院の分野で利用されていない理由が説明される。
【発明の開示】
【発明が解決しようとする課題】
【００１３】
したがって、本発明は、これらの不都合な点を改善し、簡単で、従来のハンドルにより通常作動される機構のような多数の既存の機構に適合することができ、その人間工学により、人間工学的な構造と人体のバランスに反した努力を使用者の側にもはや必要とされないような、制御及び作動部材を提供することにより、この衛生の問題を解決することである。
【課題を解決するための手段】
【００１４】
したがって、本発明は、上述のタイプの、ドアの開き部材に取り付けることができる衛生的な回転ハンドルにおいて、このハンドルの静止状態で、曲がった部分の凹面がほぼ上に向けられていることを特徴とするハンドルを提案する。
【００１５】
このドアのハンドルの他の特徴は、２次的な請求項で規定されている。
【００１６】
本発明は、また、ドアにラッチをかけるための機構の作動を制御するための、ドアの開き部材に取り付けることができる衛生的な回転制御部材において、この部材は、  
前記開き部材の垂直な自由端の近くに配置することができ、前記ドアのラッチが解除される第１の端の角度位置と、このドアのラッチが掛けられる第２の端の角度位置とを取るように、前記開き部材の平面に垂直な軸を中心として回転するように取り付けることができる末端のハブと、  
第１の端部がこのハブに接続され、まず前記開き部材の平面に平行な平面で延び、それからこの開き部材の平面に垂直な平面でこの開き部材から離れるように延びるような湾曲部を有している主ブランチと、  
この主ブランチの第２の端部に接続され、前記開き部材からこの開き部材の平面で離れながら、前記制御部材の中央平面から対称的に分かれ、間で、開いたほぼＣ字形状のバスケットハンドル状の湾曲部を規定している、第２の端部ブランチと、  
を有することを特徴とする制御部材を提供することを提案する。  
ラッチ機構を制御するためのこの衛生的な部材の他の特徴は、２次的な請求項で規定されている。
【００１７】
本発明は、また、蛇口の流れと水温とを調整するように湯水混合水栓に取り付けることができ、この蛇口の本体の上面に位置している点をほぼ中心として関節接続して取り付けることができる衛生的な回転制御部材において、この制御部材が、  
第１の末端が、前記蛇口の本体に関節接続して取り付けられ、中央の静止位置では、この蛇口の本体の垂直な中央平面にほぼ対応する垂直な平面で上方に延びている主胴部と、  
この主胴部の第２の端部から対称的に分かれ、前記蛇口の後方に向かって傾斜した平面で延び、ミキシングバルブの既知のデザインのバレルに加えられている前記制御部材の操作のために、腕、上腕、又は手首と相互作用することができる、開いたほぼＣ字形状のバスケットハンドル状の湾曲部を間で規定している２つの２次的な胴部と、  
を有していることを特徴とする制御部材を提案する。
【００１８】
前記バスケットハンドル状の湾曲部は、湯水混合水栓又はミキシングバルブの蛇口が取り付けられている洗面器の前端に面している使用者から、ほぼ後方上方に離れて開いている。
【００１９】
本発明の特徴と有利な点とは、以下の詳細な説明を読むとただちに明らかとなる。この詳細な説明の理解のために、添付されている図面が参照される。
【発明を実施するための最良の形態】
【００２０】
以下の説明では、同一の、同等の、又は同じ機能を有する部材は、同じ参照符号で指示される。  
説明と請求項とでは、ドアの開き部材の方向を参照して、垂直、水平、上、下、上部、底部などの述語が非限定的に用いられ、また、３面体（ｘ，ｙ，ｚ）も図に示されて用いられる。
【００２１】
図１に示されているように、リーフすなわち入室ドアの開き部材１０には、本発明に係る衛生的なハンドル１２が取りつけられている。
【００２２】
この開き部材１０は、その２つの垂直方向の端部の一方１４の近傍の垂直軸「Ａ」を中心に、例えばちょうつがいにより、回動するように取り付けられ、ハンドル１２は、その他方の対向する垂直方向の端部１６の近傍に配置されている。
【００２３】
このハンドル１２により、特に前腕又は腕により、ラッチのようなドアを閉じるための機構を作動させることができ、また、前記開き部材を、開くことを目的としてその垂直軸Ａを中心として回動させることができる。
【００２４】
本発明に係るハンドル１２は、一般に一例として、プラスチックで形成され、一体で、必要に応じて、例えば金属で形成された、中心の補剛コアの周囲にオーバモールドにより成形されている。
【００２５】
図２乃至６は、静止位置、すなわちこのハンドル１２が、このハンドルに全く作用が働かされていない場合に、前記開き部材に対して通常とっている位置、でのこの衛生的なハンドル１２のデザインを詳細に示している。
【００２６】
このハンドルは、通常、知られているように、このハンドルが接続されているラッチの機構によりその静止位置に弾性的に戻される。この機構は、この機構のボルト１３も、ドア１０の固定されたサッシ即ちフレームに取りつけられている相補的な受座と相互作用することができる「出た(sortie)」位置に戻される所定の角度位置にこの機構の制御シャフトを戻すためのばねを特に有している。
【００２７】
このハンドル１２は、本質的に３つの部分からなる、すなわち、  
前記ドアの開き部材１０の面に垂直な水平軸「Ｈ」を中心として回転するように取り付けられることができ、この開き部材１０の垂直な自由端１６に近い、末端ハブ１８と、  
第１の末端部２２がこのハブ１８に接続され、このハブから開き部材１０の平面にほぼ平行な平面を、この開き部材１０の垂直な自由端１６から離れて延びている中間の本体２０と、  
ほぼ曲がった形状で、本体２０の第２の端部２４に接続され、本質的に、ほぼＣ字形状の曲がった部分として形作られ、本発明によれば、本体２０の第２の端部２４から前記開き部材のほぼ上部に向かって、開き部材１０の平面から離れるように、すなわち、ハンドル１２が取りつけられている開き部材の平坦な垂直方向の面から離れるように延びている近接した作動部分２６と、である。
【００２８】
ハブ１８は、ほぼ中空のポットのように形作られ、開き部材１０の面１１の平面に垂直な（３面体ｘ、ｙ、ｚの「ｚ」軸に平行な）軸Ｈに沿って延び、使用がより容易になるように、ほぼ楕円の胴体のような外部が丸められた形状を有している部分である。
【００２９】
このハブ１８は、ハンドル１２を開き部材１０に取り付け、また、このハンドルの前記ラッチ機構のシャフトとの回転の接続と、ハブ１８の、故に、ハンドル１２の、このシャフトに対する、故に開き部材１０に対する所定角度の位置付けとを行う手段（図示されていない）を受容するように中空である。
【００３０】
中間の本体２０は、ハブ１８の大きさの小さくなっている自由端に接続されている、この本体の第１の端部２２から、Ｃ字状に曲げられた作動部分２６に接続されている、この本体の第２の端部２４まで、この本体の長さ全体にわたって、ほぼ一定のほぼ円形の又は楕円形の断面で細長い。
【００３１】
知られているように、この本体２０は、このように一般にハブ１８から離れ、自由端１６から離れて延びている。
【００３２】
従来技術で既知のことと違って、本発明によるハンドル１２の本体２０は、この本体がハブ１８の上方で（３面体ｘ、ｙ、ｚの「ｙ」軸に沿って）垂直上向きに延びるような湾曲(courbure)を有し（図２を参照）、Ｃ字状に曲がった部分の垂直上方に位置している頂点２８を有している。この本体２０の凹面は、腕又は上腕を通過させるための空間を開放するために下向きに向けられている。
【００３３】
前記頂点２８は、ハンドル１２がその軸「Ｈ」を中心として回転される場合に腕を邪魔しないように、横方向に（３面体ｘ、ｙ、ｚの「ｘ」軸に沿って）ハブ１８よりも作動部分２６に全体として近い。
【００３４】
この本体２０の第２の端部２４は、また、この作動部分２６の垂直上方に位置している。
【００３５】
本発明による、この本体２０の形状、すなわち、「雁首型」と称する下向きに開いた第１のバスケットハンドルは、このように、曲がった作動部分２６のｘ、ｙ平面での位置をハブ１８に対して決定し、故に回転軸Ｈに対して決定し、特に、以下で説明される、図２に示されている２つの距離Ｄ１、Ｄ２を決定する。
【００３６】
本体２０は、開き部材１０の垂直面ｘ、ｙに平行な平面に全体として延びている。  
より正確には、図３乃至６に見ることができ、また、本発明の一態様によって、本体２０の第２の端部２４と開き部材１０の面１１の平面との間の（ｚ方向への）平均距離Ｄ３は、この本体２０の第１の端部２２と開き部材１０の面１１の平面との間の（ｚ方向への）平均距離Ｄ４よりも小さく、作動部分２６の曲がった形状の開き部材１０に対する突出を最小限にしている。この構成で、ハブ１８は、開き部材１０から十分に離れており、清掃と取外しとが容易となっており、前記部分２６は、開き部材１０に十分に近く、引っかかることを防止している。
【００３７】
曲がった形状の近接した作動部分２６は、Ｃ字形状のバスケットハンドルの曲線の一般的な形態の曲がった部分である。
【００３８】
この部分２６は、本体２０の第２の端部２４から（３面体ｘ、ｙ、ｚのｚ軸の方向に）開き部材１０の面１１の平面から離れるように延びている。
【００３９】
本発明によれば、曲がった部分２６の凹面は、ほぼ上向きに開き、使用者の腕の（上腕の）下方すなわち下部部分、手首の下方すなわち下部部分、又は手の甲を受けることができる第２のバスケットハンドルの曲線を形成するように、上に向けられている。
【００４０】
より正確には、前記部分２６は、軸「Ｈ」を通過する水平面に対して鋭角アルファ１（図２）を形成する中央平面「Ｐ」で延びている。
【００４１】
この角度アルファ１は、３０°と６０°との間にあり、ほぼ５０°に実質的に等しいと好ましい。
【００４２】
この方向と、本体２０の寸法及び形状とにより、軸「Ｈ」と曲がった部分２６の「底部」に対応する点３０との間の平均距離Ｄ１（すなわち半径）と、この部分２６の底部の点３０と軸Ｈを通る水平な平面との間の垂直方向の距離Ｄ２とが決定される。図２に示されている例では、Ｄ１は、ほぼ２００ｍｍに等しく、Ｄ２は、ほぼ１１５ｍｍに等しい。
【００４３】
本発明は、もちろん、パラメータＤ１乃至Ｄ４及びアルファで指示された値に限定されず、同一の人間工学、特に、所定の国の個人の平均的なサイズによる相似変換を特に含む。
【００４４】
図７と図８とに見られるＣ字に曲がった部分は、本体２０の第２の端部２４と接続されているその末端部で、細く又は狭く、底部の点３０が位置している内側のくぼんだ作動面３６を規定するように、その開放した近接した端部３４の方向に次第に拡大し、広がっている。
【００４５】
この近接した端部３４は、２つの自由端突出部すなわち先端部３８、３９で終端しており、これら２つの突出部のうち一方は、上方の突出部３８と称され、他方の突出部は、下方の突出部３９と称される。
【００４６】
前記面３６は、十分に大きく、前腕、手首又は手の甲で、ハンドル１２を上方に並びに／もしくは下方に回転作動させるのが容易となる。
【００４７】
曲がった作動部分２６は、また、その中央平面Ｐに対してデザインがほぼ対称性を有している。
【００４８】
この曲がった作動部分２６の断面の輪郭は、全ての点において、使用がより快適であるように凸面で丸められている。
【００４９】
自由端部分が単一の中央の突出部に簡単化されている作動部分２６を備えたハンドルが示されている、図９と図１０とに見られるように、本体２０と曲がった作動部分２６との形状と寸法とにより、この部分２６を作動させるために完全に開放することができ、また、本体２０の「下方に」位置している領域全体を開放することができ、この結果、これから説明される本発明による有利な人間工学となる。
【００５０】
あるラッチ制御機構の場合には、使用者は、ハンドル１２を軸Ｈを中心として両方向に、すなわち、錠の舌(pe^ne)を受け座(ga^che)から開放するように、開き部材１０の上部に向けて、又は底部に向けて、回転させることができることが銘記される。
【００５１】
使用する際（図９、図１０）、使用者は、くぼんだ面３６に接触させて、腕、上腕、手の甲又は手首を曲がった作動部分２６に位置させる。
【００５２】
錠の舌を受け座から開放するように、この使用者は、くぼんだ作動面３６に、ドアの底部にほぼ向けられた、すなわち地面に向けられた垂直な圧力をかける。
【００５３】
それから、ドアの開き部材１０をその垂直軸Ａを中心として回動させるために、この使用者は、連続した動作で、腕又は手首を依然として動作部分２６により形成されている第２のＣ字形状のバスケットハンドルの曲線に収容させて、この開き部材１０を引き又は押すことにより、ｚ方向に並進させる。
【００５４】
用いられている腕の部分が依然として前記部分２６に収容されている限り、ドアは、前記ハンドルのその回転軸Ｈを中心とした角度位置に関わりなく、その軸を中心として回動されることができることが銘記される。ひじに対する上腕の角度方向によりこのように受けられることが努力又は痛みを伴わずにできる。
【００５５】
手の中に握られる非衛生的なハンドルと同様に、使用者は、例えば、ドアを回動させている間に、ハンドルをその上部の静止位置に再び持ち上がらせてもよい。
【００５６】
ハンドルを上方に回転させることによりラッチを動作させる場合には、使用者は、本体の湾曲と作動部分２６との間の接続により形成されている中空の領域でハンドル１２の「下方に」、前腕又は手首を位置させる。使用者は、それから、開き部材１０の上部に向けてほぼ垂直に向けられた圧力をかけて錠の舌を受け座から開放し、この開き部材１０を引き又は押すことにより並進させる。使用者の手首又は前腕は、この中空の領域に収容され、保持されている。
【００５７】
図２乃至８で見られる、２つの突出部又は先端３８、３９は、腕又は上腕を曲がった部分２６でより良好に保持する機能を有し、この部分での腕又は上腕の位置に関わりなく、ねじらないで(sans contorsions)人間工学的に使用することを可能とし、背中で(au dos)さらに努力することを防止し、使用者がドアを引き又は押したい場合に操作をより容易にする。
【００５８】
一旦、錠の舌が受け座から開放されると、腕の用いられている部分は、突出部の一方又は他方３８、３９に作用する。  
具体的には、ハンドル１２が上部の静止位置にある時、特に、上方の突出部３８に作用することにより、使用者は、ドアの開き部材１０を引くことができる。使用者が、垂直方向の圧力を下向きにかけると、ハンドル１２は、その静止位置から動き、底部の位置で、使用者は、特に、下方の突出部３９に作用することにより開き部材１０を引くこともできる。
【００５９】
例えば腕、上腕、又は手首の助けにより作動されるこのようなハンドルは、定義により、従来のハンドルと同じ操作性を有している。
【００６０】
手首もバクテリアにより汚染される部分でありうるということ、したがって、どんな汚染も防止するために上腕の助けでハンドルを作動させることがこのましいということが認められてきた。
【００６１】
機構（この場合、ラッチ）の制御を容易にするために、本発明によるハンドル１２の長さは、より長いレバーアームのおかげでより容易に回転させられるように、従来の「手動の」ハンドルの長さよりも長い。
【００６２】
もちろん、開き部材１０の各側すなわち各面にこのような衛生的で人間工学的なハンドルを取り付けることが可能である。この開き部材のいずれの側にも位置している２つのハンドルは、この場合、この開き部材１０の平面に関して対称的である。したがって、ドアにこのようなハンドルを前記開き部材のいずれの側にもとりつけるために、1組の２つの対称的なハンドルが用いられる。
【００６３】
これら２つの対称的なモデルを在庫で持つと、どんな左開きの又は右開きのドア、すなわち、右に又は左にちょうつがいを備えたドアを取り付けることができる。
【００６４】
図1乃至１２に示されている開き部材１０には、本発明の教示により、指又は手の助けによらず作動させることができる、ラッチ掛け又はラッチ外しを操作するための衛生的な回転部材５０が備えられている、ラッチ又はラッチ掛けの機構も取り付けることができる。
【００６５】
制御部材、すなわちラッチハンドル、５０は、本発明によると、例えば、ハンドル１２と同様に成形プラスチックで一体に形成されている。
【００６６】
図１１に示されているこのような部材５０は、例えば、ドアのラッチが解除される第1の「底部の」端の角度位置と、ドアのラッチが掛けられる「上部の」端の角度位置とをとるように、開き部材１０の面１１の平面に垂直な軸Ｈ’を中心として回転するように取り付けられることができる末端のハブ５２を有している。
【００６７】
これら２つの端の位置は、この場合、前記底部の位置でハンドル５０がほぼ水平面で延びている一方で、前記底部の位置でこのハンドル５０は、この場合、ほぼ垂直面で延びているように、角度がほぼ９０度の角度でずれている。
【００６８】
ラッチ機構の現存する変形例によると、上述の２つの位置は、逆にされても、異なる方法で向き付けられてもよい。
【００６９】
ハブは、開き部材１０の垂直な自由端１６に近く、ドアハンドル１２のハブ１８の下方に取り付けられており、ほぼこのハブ１８と一致している。
【００７０】
このハブ５２は、ラッチハンドル５０を開き部材１０に取り付け、一方で、さらにこのハンドルとラッチ機構のシャフトとの回転するように接続し、また、このシャフトに対して、故に開き部材１０に対して、ハブ５２を所定の角度に位置づけ、故にハンドル５０を所定の角度に位置づけるために、手段（図示されていない）を受け入れるように中空のポットからなり、また、このハブ５２は、楕円の胴体のような実質的に丸められた形状を有している。
【００７１】
ラッチハンドル５０は、主ブランチ（即ち本体）５４を有し、その第1の末端は、ハブ５２の一端に接続され、その第２の近接端は、２つの２次的な近接端のブランチ５６により延びている。
【００７２】
これら２つの２次的な端のブランチ５６は、ドアの平面に垂直な、すなわち、回転軸Ｈ’に平行な平面である、ラッチハンドル５０の中央平面のいずれの側でも対称的である。
【００７３】
これら２次的なブランチ５６は、これらの間で、ほぼ開いたＣ字のバスケットハンドルの曲線の形状のフック５８を規定している。これら２つのブランチ５８の接続部での湾曲部５９は、また、これらブランチのいずれの側でもこの説明の残りのために役にたつ。
【００７４】
主ブランチ５４は、まず、面１１の平面に平行な平面で延び、それから、この面１１に垂直な平面で開き部材１０から離れて延びるように、ひじ又は首の形状の第１の部分５５を有している。
【００７５】
２次的なブランチ５６は、この主ブランチ５４の第２の部分と同じ平面で、ラッチ５０の中央平面に関して対称に延びている。
【００７６】
ラッチハンドル５０は、互いにほぼ垂直な２つの位置を取ることができる。ドアのラッチが解除されている位置に対応する「底部の」位置では、主ブランチ５４は、ほぼ垂直に地面に向かって延びている。２つの対称的な２次的なブランチ５６は、この場合、面１１から離れて、ほぼ共通の水平な平面で延びている。
【００７７】
ドアのラッチが掛けられている位置に対応する「上部の」位置では、主ブランチ５４は、ほぼ水平に延び、前記対称的な２次的なブランチは、この場合、面１１に垂直な、ほぼ共通の垂直な平面で延びている。
【００７８】
一方の端の位置から他方の端の位置に動かすために、使用者は、通常、面１１から反対に開いており、凹面を、例えば使用者の前腕を受容するように向けている、バスケットハンドルのカーブ即ちフック５８に使用者の前腕又は手首を位置させる。
【００７９】
使用者は、４分の１回転させることによりハンドル５０に作用することによりラッチを作動させる。使用者は、主ブランチ５４と２次的なブランチ５６の一方との間にある湾曲すなわち曲がった領域５９で、上腕又は手首をフック５６の外側に位置させ、ドアにラッチを掛けたり、ラッチを解除したりするように圧力をかけてもよい。
【００８０】
本発明の他の態様によると、部材５０のようなほぼＹ字形状の制御部材を、湯水混合水栓(me’langeur)又はミキシングバルブ(mitigeur)と称する蛇口の開閉機構を制御し又は作動させるために使用し、腕、手首又は上腕により水流と水温とを調節してもよい。
【００８１】
図１３に示されている、本発明による制御部材すなわちレバー６０は、通常、図示されていない、ボール・ソケット(routule)すなわちカルダンタイプにより点すなわち中心６２を中心として回転するように取りつけられている。
【００８２】
制御レバー６０は、既知の方法で、湯水混合水栓７０の本体６９の上面に、多かれ少なかれ口にされる「雁首型」の一般的な形状で取りつけられている。
【００８３】
本体６９の後部で下方の端部７１は、洗面器(vasque)（図示されていない）の後部の端に取り付けられることができ、一方、洗面器又はボールの使用者に向けられている前方の自由端７３は、水の出口開口部を有している。
【００８４】
レバーの形状の制御部材６０は、その本体を形成している第１の胴部を有し、この本体は、図示されている中間の静止位置で、垂直上方の平面で、蛇口７０の上方を、この蛇口の第１の関節接続された末端７５から延びている。
【００８５】
このレバー６０も、２つの補助的なすなわち２次的な胴部６６を有し、この胴部は、主胴部６４の第２の端部７７から延び、また、この胴部は、この場合、垂直な平面である、制御部材６０の対称性の中央平面の両側に対称的に離れている。
【００８６】
これら２次的な近接した自由端の胴部６６は、これらの間で、腕、上腕、又は手首を受容することができる開いたＣ字形状のバスケットハンドルの曲線の一般的な形状のフック６８を規定している。
【００８７】
これら２つの対称的で対向する近接した胴部６６は、水平面に対して傾斜し、蛇口７０の後方に向けられている共通の平面で延びている。
【００８８】
使用者は、通常、手首をバスケットハンドルの曲線すなわちフック６８の凹面の内側に位置させる。
【００８９】
使用者は、それから、手のひら又は指のような手の汚染されている部分を用いずに、水流と温度との両方を調節するように、制御部材６０を点６２を中心に、蛇口７０の前から後ろへ並びに／もしくは左から右へと回転するように適当に向き付けた力をかけることができる。
【００９０】
本発明によるデザインの結果、蛇口を置き換えることにより、又はミキシングバルブの従来のレバーを置き換えることにより、容易に洗面台又は流しに取り付けることができる。
【００９１】
本発明が上で喚起した様々な態様を通して効果的に寄与する、細菌とバクテリアとの伝播と感染とに対する戦いの一般的な枠組みでは、並びに／もしくはバクテリアの感染の流れの制御のために、湯水混合水栓又はミキシングバルブの蛇口を用いることは、流れの閉鎖と開放との点が水の出口開口部に非常に近く位置している限り、特に、効果的であり、この結果、バクテリアと細菌とが停滞し、繁殖する、外部に開かれており、故に汚染にも開かれているダクトの部分の長さを最小値に減少させる。
【図面の簡単な説明】
【００９２】
【図１】開き部材に本発明に係る衛生的なハンドルが取り付けられている、ドアの概略的な斜視図である。
【図２】静止位置に対応する方向で示されている、図１のハンドルのより大きなスケールの前面図である。
【図３】図２のハンドルの上面図である。
【図４】図２のハンドルの右からの図である。
【図５】図２のハンドルの左からの図である。
【図６】図２のハンドルの下方からの図である。
【図７】図２に示されているハンドルの斜視図である。
【図８】図２に示されているハンドルの斜視図である。
【図９】衛生的で人間工学的な使用を示す、簡単化された衛生的なハンドルの図である。
【図１０】衛生的で人間工学的な利用を示す、簡単化された衛生的なハンドルの図である。
【図１１】衛生的で人間工学的な利用を示す、ラッチを制御するための衛生的な部材の斜視図である。
【図１２】本発明に係る１対の対称的なハンドル（各面に１つ）とラッチを制御するための衛生的な部材とが取りつけられているドアを示す、図１の図に対して右からの概略図である。
【図１３】本発明に係る衛生的な制御部材が取りつけられている湯水混合水栓の蛇口本体を概略的に示す斜視図である。
【図１】
2008506872.tif 000003
【図２】
2008506872.tif 000004
【図３】
2008506872.tif 000005
【図４】
2008506872.tif 000006
【図５】
2008506872.tif 000007
【図６】
2008506872.tif 000008
【図７】
2008506872.tif 000009
【図８】
2008506872.tif 000010
【図９】
2008506872.tif 000011
【図１０】
2008506872.tif 000012
【図１１】
2008506872.tif 000013
【図１２】
2008506872.tif 000014
【図１３】
2008506872.tif 000015
【国際調査報告】
2008506872.tif 000016
2008506872.tif 000017
2008506872.tif 000018
2008506872.tif 000019
2008506872.tif 000020
2008506872.tif 000021